【事件の表示】
　特許第３１７９７１９号「電子機器」の請求項１ないし６に係る特許に対する特許異議の申立てについて、次のとおり決定する。
【結　論】
　訂正を認める。
　特許第３１７９７１９号の請求項１ないし４に係る特許を維持する。
【理　由】
【１】手続の経緯
　本件特許第３１７９７１９号（以下、「本件特許」という。）は、平成８年１１月２０日付けの特許出願に係り、平成１３年４月１３日にその請求項１ないし６に係る発明について特許権の設定登録がなされたものであり、その後、平成１３年１２月２５日に特許異議申立人・村井宏より、全請求項に係る発明の特許に対して特許異議の申立てがあったので、当審において当該申立ての理由を検討の上、平成１４年４月２２日付けで特許取消理由を通知したところ、その通知書で指定した期間内である平成１４年７月３日に特許異議意見書と共に訂正請求書が提出されたものである。
　
【２】訂正の適否について
１．訂正の要旨
　上記平成１４年７月３日付けの訂正請求は、願書に添付した明細書及び図面を訂正請求書に添付した訂正明細書及び訂正図面のとおり訂正することを求めるものであるが、その訂正の要旨は、次の訂正事項ａないしｄのとおりのものと認める。
《訂正事項ａ》
　願書に添付した明細書の【特許請求の範囲】の記載について、
「【請求項１】　開放部と外方に突出した凸部とを有する金属製の枠体と、周辺に圧接用突片と該圧接用突片間に設けられた凹部とを有するカバーとを備え、前記枠体の開放部の少なくとも一部を覆うように前記カバーを前記枠体に被せ、前記圧接用突片を枠体に圧接すると共に、前記凸部と前記凹部の側面とを弾接させたことを特徴とする電子機器。
　【請求項２】　前記凹部の先端部に傾斜部を設けたことを特徴とする請求項１記載の電子機器。
　【請求項３】　二対の互いに対向した辺を有する矩形状をなす前記カバーを有し、一方の対向した辺には、前記凸部が弾接する前記凹部を有する前記圧接用突片が設けられ、また、他方の対向する辺の一方の辺には、圧接用突片が設けられ、この圧接用突片は、前記凸部と前記凹部との弾接によって枠体への圧接が強まるようにしたことを特徴とする請求項１、又は２記載の電子機器。
　【請求項４】　開放部と該開放部側に設けた凹部とを有する金属製の枠体と、周辺に圧接用突片と該圧接用突片の側縁部から内方に突出した凸部とを有するカバーとを備え、前記枠体の開放部の少なくとも一部を覆うように前記カバーを前記枠体に被せ、前記圧接用突片を枠体に圧接すると共に、前記凸部と前記凹部の側面とを弾接させたことを特徴とする電子機器。
　【請求項５】　前記凹部の先端部に傾斜部を設けたことを特徴とする請求項４記載の電子機器。
　【請求項６】　二対の互いに対向した辺を有する矩形状をなす前記カバーを有し、一方の対向した辺には、前記凹部に弾接する前記凸部を有する前記圧接用突片が設けられ、また、他方の対向する辺の一方の辺には、圧接用突片が設けられ、この圧接用突片は、前記凹部と前記凸部との弾接によって枠体への圧接が強まるようにしたことを特徴とする請求項４、又は５記載の電子機器。」とあるのを、
「【請求項１】　開放部と
二対の互いに対向した側板
二対の互いに対向した辺を有する矩形状をなす
前記枠体の一方の対向した側板には外方に突出した凸部が設けられると共に、他方の対向した側板の斜向かいの位置には切り欠き部が設けられ、前記カバーの一方の対向した辺には凹部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、前記カバーを前記開放部を覆うように前記枠体に被せて
ることにより、前記カバーの他方の対向する辺に設けられた圧接用突片のそれぞれが対向する前記切り欠き部側に引き寄せられるように構成した
　【請求項２】　前記凹部の先端部に傾斜部を設けたことを特徴とする請求項１記載の電子機器。
　【請求項３】　
開放部と二対の互いに対向した側板とを有する金属製の枠体と、二対の互いに対向した辺を有する矩形状をなすカバーとを備え、前記枠体の一方の対向した側板には凹部が設けられると共に、他方の対向した側板の斜向かいの位置には切り欠き部が設けられ、前記カバーの一方の対向した辺には外方に突出した凸部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、前記カバーを前記開放部を覆うように前記枠体に被せて前記凸部と前記凹部の側面とを弾接させることにより、前記カバーの他方の対向する辺に設けられた圧接用突片のそれぞれが対向する前記切り欠き部側に引き寄せられるように構成したことを特徴とする
　【請求項４】　
前記凹部の先端部に傾斜部を設けたことを特徴とする請求項３記載の
と訂正する。
《訂正事項ｂ》
　願書に添付した明細書の段落【０００６】の記載について、
「【課題を解決するための手段】
　前記課題を解決するための第１の解決手段として、開放部と外方に突出した凸部とを有する金属製の枠体と、周辺に圧接用突片と該圧接用突片間に設けられた凹部とを有するカバーとを備え、前記枠体の開放部の少なくとも一部を覆うように前記カバーを前記枠体に被せ、前記圧接用突片を枠体に圧接すると共に、前記凸部と前記凹部の側面とを弾接させた構成とした。
　また、第２の解決手段として、前記凹部の先端部に傾斜部を設けた構成とした。
　また、第３の解決手段として、二対の互いに対向した辺を有する矩形状をなす前記カバーを有し、一方の対向した辺には、前記凸部が弾接する前記凹部を有する前記圧接用突片が設けられ、また、他方の対向する辺の一方の辺には、圧接用突片が設けられ、この圧接用突片は、前記凸部と前記凹部との弾接によって枠体への圧接が強まるようにした構成とした。
　また、第４の解決手段として、開放部と該開放部側に設けた凹部とを有する金属製の枠体と、周辺に圧接用突片と該圧接用突片の側縁部に設けられ、内方に突出した凸部とを有するカバーとを備え、前記枠体の開放部の少なくとも一部を覆うように前記カバーを前記枠体に被せ、前記圧接用突片を枠体に圧接すると共に、前記凸部と前記凹部の側面とを弾接させた構成とした。
　また、第５の解決手段として、前記凹部の先端部に傾斜部を設けた構成とした。
　更に、第６の解決手段として、二対の互いに対向した辺を有する矩形状をなす前記カバーを有し、一方の対向した辺には、前記凹部に弾接する前記凸部を有する前記圧接用突片が設けられ、また、他方の対向する辺の一方の辺には、圧接用突片が設けられ、この圧接用突片は、前記凹部と前記凸部との弾接によって枠体への圧接が強まるようにした構成とした。」とあるのを、
「【課題を解決するための手段】
　前記課題を解決するための第１の解決手段として、開放部と
二対の互いに対向した側板
二対の互いに対向した辺を有する矩形状をなす
前記枠体の一方の対向した側板には外方に突出した凸部が設けられると共に、他方の対向した側板の斜向かいの位置には切り欠き部が設けられ、前記カバーの一方の対向した辺には凹部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、前記カバーを前記開放部を覆うように前記枠体に被せて
ることにより、前記カバーの他方の対向する辺に設けられた圧接用突片のそれぞれが対向する前記切り欠き部側に引き寄せられるように構成
　また、第２の解決手段として、前記凹部の先端部に傾斜部を設けた構成とした。
　また、第３の解決手段として、
開放部と二対の互いに対向した側板とを有する金属製の枠体と、二対の互いに対向した辺を有する矩形状をなすカバーとを備え、前記枠体の一方の対向した側板には凹部が設けられると共に、他方の対向した側板の斜向かいの位置には切り欠き部が設けられ、前記カバーの一方の対向した辺には外方に突出した凸部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、前記カバーを前記開放部を覆うように前記枠体に被せて前記凸部と前記凹部の側面とを弾接させることにより、前記カバーの他方の対向する辺に設けられた圧接用突片のそれぞれが対向する前記切り欠き部側に引き寄せられるように構成
　また、第４の解決手段として、
前記凹部の先端部に傾斜部を設けた
と訂正する。
《訂正事項ｃ》
　願書に添付した明細書の段落【００１３】の記載について、
「【発明の効果】
　本発明によれば、開放部と外方に突出した凸部とを有する金属製の枠体と、周辺に圧接用突片と該圧接用突片間に設けられた凹部とを有するカバーとを備え、枠体の開放部の少なくとも一部を覆うようにカバーを枠体に被せ、圧接用突片を枠体に圧接すると共に、凸部と凹部の側面とを弾接させたものであるため、圧接用突片が圧接用突片のない側に引き寄せられ、圧接用突片の枠体への接触を強くでき、振動等によるノイズがなく、また、これによって、カバーのねじれが規制され、商品価値が向上した電子機器が提供できる。また、これによって、構成の簡単なカバーの位置規制構造を提供できる。
　また、凹部の先端部に傾斜部を設ることによって、凸部の凹部への挿入を容易に出来、作業性が良くなる。
　更に、二対の互いに対向した辺を有する矩形状をなす前記カバーを有し、一方の対向した辺には、前記凸部（又は凹部）が弾接する前記凹部（又は凸部）を有する前記圧接用突片が設けられ、また、他方の対向する辺の一方の辺には、圧接用突片が設けられ、この圧接用突片は、前記凸部と前記凹部との弾接によって枠体への圧接が強まるようにしたため、特に、対向する二辺の対向する位置に圧接用突片が、一方のみ、或いは、非対称に存在するとき、カバーの位置規制が出来て、圧接用突片の枠体への接触を強くでき、ノイズのない電子機器を提供できる。
　また、更に、開放部と該開放部側に設けた凹部とを有する金属製の枠体と、周辺に圧接用突片と該圧接用突片の側縁部から内方に突出した凸部とを有するカバーとを備え、枠体の開放部の少なくとも一部を覆うように前記カバーを枠体に被せ、圧接用突片を枠体に圧接すると共に、凸部と凹部の側面とを弾接させたものであるため、圧接用突片が圧接用突片のない側に引き寄せられ、圧接用突片の枠体への接触を強くでき、振動等によるノイズがなく、また、これによって、カバーのねじれが規制され、商品価値が向上し、構成の簡単なカバーの位置規制構造の電子機器が提供できる。」とあるのを、
「【発明の効果】
　本発明によれば、開放部と
二対の互いに対向した側板
二対の互いに対向した辺を有する矩形状をなす
前記枠体の一方の対向した側板には外方に突出した凸部が設けられると共に、他方の対向した側板の斜向かいの位置には切り欠き部が設けられ、前記カバーの一方の対向した辺には凹部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、前記カバーを前記開放部を覆うように前記枠体に被せて
ることにより、前記カバーの他方の対向する辺に設けられた圧接用突片のそれぞれが対向する前記切り欠き部側に引き寄せられるように構成した
　また、凹部の先端部に傾斜部を設ることによって、凸部の凹部への挿入を容易に出来、作業性が良くなる。
　更に、
開放部と二対の互いに対向した側板とを有する金属製の枠体と、二対の互いに対向した辺を有する矩形状をなすカバーとを備え、前記枠体の一方の対向した側板には凹部が設けられると共に、他方の対向した側板の斜向かいの位置には切り欠き部が設けられ、前記カバーの一方の対向した辺には外方に突出した凸部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、前記カバーを前記開放部を覆うように前記枠体に被せて前記凸部と前記凹部の側面とを弾接させることにより、前記カバーの他方の対向する辺に設けられた圧接用突片のそれぞれが対向する前記切り欠き部側に引き寄せられるように構成した
と訂正する。
《訂正事項ｄ》
　願書に添付した図面の【図１】を、訂正請求書に添付した訂正図面の【図１】のように訂正する。
　
２．訂正の目的の適否
　上記訂正事項ａは、願書に添付した明細書の特許請求の範囲の請求項１に記載された「枠体」が「開放部と二対の互いに対向した側板とを有し、一方の対向した側板には外方に突出した凸部が設けられると共に、他方の対向した側板の斜向かいの位置には切り欠き部が設けられている」点を限定すると共に、「カバー」が「二対の互いに対向した辺を有し、一方の対向した辺には凹部と枠体の一方の対向した側板に弾接する圧接用突片とが設けられると共に、他方の対向する辺には枠体の他方の対向した側板の切り欠き部を除く部分に弾接する圧接用突片が設けられている」点を限定し、「凸部と凹部の側面とを弾接させることにより、カバーの他方の対向する辺に設けられた圧接用突片のそれぞれが対向する切り欠き部側に引き寄せられる」点を明確にして、新たな請求項１とするものであり、
　また、願書に添付した明細書の特許請求の範囲の請求項４に記載された「枠体」が「開放部と二対の互いに対向した側板とを有し、一方の対向した側板には凹部が設けられると共に、他方の対向した側板の斜向かいの位置には切り欠き部が設けられている」点を限定すると共に、「カバー」が「二対の互いに対向した辺を有し、一方の対向した辺には外方に突出した凸部と枠体の一方の対向した側板に弾接する圧接用突片とが設けられると共に、他方の対向する辺には枠体の他方の対向した側板の切り欠き部を除く部分に弾接する圧接用突片が設けられている」点を限定し、「凸部と凹部の側面とを弾接させることにより、カバーの他方の対向する辺に設けられた圧接用突片のそれぞれが対向する切り欠き部側に引き寄せられる」点を明確にして、新たな請求項３とするものであり、
　更に、これら請求項１及び４の訂正に伴って、訂正前の請求項３及び６を削除すると共に、訂正前の請求項２及び５を、それぞれ、新たな請求項１及び３の従属項とするものであるので、特許請求の範囲の減縮を目的とした明細書の訂正に該当する。
　また、上記訂正事項ｂないしｄは、上記訂正事項ａと整合を図るものであるので、明りょうでない記載の釈明を目的とした明細書又は図面の訂正に該当する。
　
３．新規事項の有無、特許請求の範囲の拡張・変更の存否
　上記訂正事項ａは、願書に添付した明細書の段落【０００７】の「この枠体１は、相対向する側板２、３と、斜向かいの位置に切り欠き部４ａ，５ａが設けられた相対向する側板４、５と、一端部に設けられた開放部６と、前記側板２、３の開放部６側において、側板２、３を外方に切り起こして設けられた凸部７、８とを有している。」との記載や、同段落【０００８】の「また、矩形状の金属製から成るカバー９は、その対向する辺９ａと９ｂに、相対向して下向きに設けられた複数個の圧接用突片１０、１１と、この圧接用突片１０間、及び１１間に設けられた凹部１２、１３と、一つの圧接用突片１０と１１の先端部に設けられた傾斜部１４と、また、もう一つの対向する辺９ｃと９ｄに、斜向かいに下向きに設けられた圧接用突片１５、１６とを有している。そして、斜向かいに設けられた圧接用突片１５、１６は、前記切り欠き部４ａ、５ａには合致せず、外れた位置になるように形成され、また、凹部１２、１３に隣接する一つの圧接用突片１０と１１とに設けられた傾斜部１４は、それぞれ凸部７、８と対向した位置に形成されている。」との記載や、図面の【図１】、【図２】の記載に基づくものであるので、上記訂正事項ａは、願書に添付した明細書又は図面に記載した事項の範囲内のものであり、また、実質上特許請求の範囲を拡張し、又は変更するものではない。
　また、上記訂正事項ｂないしｄも、願書に添付した明細書又は図面に記載した事項の範囲内のものであり、また、実質上特許請求の範囲を拡張し、又は変更するものではない。
　
４．むすび
　以上のとおりであるから、上記訂正は、特許法第１２０条の４第２項及び同条第３項において準用する特許法第１２６条第２項ないし第４項の規定に適合するので、当該訂正を認める。
　
【３】特許異議の申立てについて
１．申立ての理由の概要
　特許異議申立人・村井宏は、甲第１号証（実願平５−２０１３３号（実開平６−７２２８３号）のＣＤ−ＲＯＭ）及び甲第２号証（実願平４−８４９４号（実開平５−６２０９４号）のＣＤ−ＲＯＭ）を証拠として提出して、本件特許の請求項１ないし３に係る発明は、甲第１号証又は甲第２号証に記載された発明であり、仮に記載された発明でないにしても、甲第１号証又は甲第２号証に記載された発明に基いて、当業者が容易に発明をすることができたものであり、本件特許の請求項１ないし３に係る発明についての特許は、特許法第２９条の規定に違反してされたものであり、また、本件特許の請求項４ないし６に係る発明は、甲第１号証又は甲第２号証に記載された発明に基いて、当業者が容易に発明をすることができたものであり、本件特許の請求項４ないし６に係る発明についての特許は、特許法第２９条の規定に違反してされたものであるから、本件特許の請求項１ないし６に係る発明についての特許は、特許法第１１３条第２号に該当し、取り消されるべきものである旨主張している。
　
２．本件発明
　上記【２】で示したように上記訂正が認められるから、本件特許の請求項１ないし４に係る発明は、上記平成１４年７月３日付けの訂正請求書に添付した訂正明細書の特許請求の範囲の請求項１ないし４に記載された事項により特定されるとおりのものであるところ、分節して記載すると次のとおりである。
「【請求項１】
（イ）開放部と二対の互いに対向した側板とを有する金属製の枠体と、二対の互いに対向した辺を有する矩形状をなすカバーとを備え、
（ロ）前記枠体の一方の対向した側板には外方に突出した凸部が設けられると共に、他方の対向した側板の斜向かいの位置には切り欠き部が設けられ、
（ハ）前記カバーの一方の対向した辺には凹部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、
（ニ）前記カバーを前記開放部を覆うように前記枠体に被せて前記凸部と前記凹部の側面とを弾接させることにより、前記カバーの他方の対向する辺に設けられた圧接用突片のそれぞれが対向する前記切り欠き部側に引き寄せられるように構成したこと
（ホ）を特徴とする電子機器。
　【請求項２】　前記凹部の先端部に傾斜部を設けたことを特徴とする請求項１記載の電子機器。
　【請求項３】
（イ）開放部と二対の互いに対向した側板とを有する金属製の枠体と、二対の互いに対向した辺を有する矩形状をなすカバーとを備え、
（ロ’）前記枠体の一方の対向した側板には凹部が設けられると共に、他方の対向した側板の斜向かいの位置には切り欠き部が設けられ、
（ハ’）前記カバーの一方の対向した辺には外方に突出した凸部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、
（ニ）前記カバーを前記開放部を覆うように前記枠体に被せて前記凸部と前記凹部の側面とを弾接させることにより、前記カバーの他方の対向する辺に設けられた圧接用突片のそれぞれが対向する前記切り欠き部側に引き寄せられるように構成したこと
（ホ）を特徴とする電子機器。
　【請求項４】　前記凹部の先端部に傾斜部を設けたことを特徴とする請求項３記載の電子機器。」
　
３．引用刊行物とその記載事項
　特許異議申立人・村井宏が証拠として提出した刊行物とその記載事項は、次のとおりである。
　
　刊行物１：実願平５−２０１３３号（実開平６−７２２８３号）
　　　　　　のＣＤ−ＲＯＭ（甲第１号証）
　刊行物２：実願平４−８４９４号（実開平５−６２０９４号）
　　　　　　のＣＤ−ＲＯＭ（甲第２号証）
　
３−１．刊行物１（実願平５−２０１３３号（実開平６−７２２８３号）のＣＤ−ＲＯＭ）の記載事項
　刊行物１には、「電子機器」に関して、図１ないし図３と共に、次の事項が記載されている。
　（あ）「対向する第１及び第２の立上側壁部とそれらに直交する第３の立上側壁部とを有したフレーム状のケースと、このケースの上面開口を覆うように被せられる天面部とそこから立ち下がって上記ケースの第１、第２、第３の立上側壁部に圧接せしめられる第１、第２、第３の立下側壁部とを有したカバーと、を備え、
　上記ケースの第１及び第２の立上側壁部に、その上端から外側に折り曲がるカバーストッパーが設けられるとともに、上記カバーの第１及び第２の立下側壁部に、上記カバーストッパーが挿入されて該カバーストッパーの上記第３の立上側壁部側の側端面が当接するように係止窓が形成されていることを特徴とする電子機器。」（実用新案登録請求の範囲の請求項１）
　（い）「本実施例の電子機器１が従来のものと相違するのは、ケース１０の第１及び第２の立上側壁部１１，１２における第３の立上側壁部１３側寄りに、それぞれその上端から外側に折り曲がるカバーストッパー３０が設けられて、カバー２０に形成されている係止窓２７のうちの第３の立下側壁部２３側のものに上記カバーストッパー３０が挿入されて該カバーストッパー３０の側端面３０ａが係止窓２７の側端面２７ａに圧接するようにされている点である。」（段落【００１４】）
　（う）「このような構成のもとで、上記カバー２０を上記ケース１０に重ねるように被せて押し下げると、カバー２０の係止窓２７にケース１０のカバーストッパー３０が挿入されるとともに、カバー２０の第１、第２、第３の立下側壁部２１，２２，２３がケース１０の立上側壁部１１，１２，１３に弾発的に圧接し、この状態でカバー２０を最終位置までさらに押し込むと、図３に示される如くに、上記カバー２０に形成された係止窓２７の側端面２７ａに上記カバーストッパー３０の一側端面３０ａが擦り合うように圧接する。」（段落【００１６】）
　（え）「【考案の効果】　以上の説明から明らかな如く、本考案に係る電子機器は、ケースにカバーがその側壁部の弾性力を利用して脱着可能に取り付けられるようにされたもとで、カバーががたついてしまうことを簡単な構成でもって合理的かつ効果的に防ぐことができるという効果が得られる。」（段落【００２０】）
　
　上記各摘記事項及び図１ないし図３の記載を総合すると、刊行物１には、
「開放部と一対の対向した立上側壁部１１，１２とそれらに直交する立上側壁部１３とを有する金属製のケース１０と、二対の互いに対向した辺を有する矩形状をなすカバー２０とを備え、
　前記ケース１０の対向した立上側壁部１１，１２には外方に突出したカバーストッパー３０が設けられると共に、立上側壁部１３の対向する側には開口部が設けられ、
　前記カバー２０の一方の対向した辺には係止窓２７と前記ケース１０の対向した立上側壁部１１，１２に弾接する立下側壁部２１，２２とが設けられると共に、他方の対向する辺の一つの辺には前記ケース１０の立上側壁部１３に弾接する立下側壁部２３が設けられ、
　前記カバー２０を前記開放部を覆うように前記ケース１０に被せて前記カバーストッパー３０と前記係止窓２７の側面とを弾接させることにより、前記カバー２０の他方の対向する辺の一つの辺に設けられた立下側壁部２３が前記開口部側に引き寄せられるように構成した
　電子機器」
の発明が記載されていると認められる。
　
３−２．刊行物２（実願平４−８４９４号（実開平５−６２０９４号）のＣＤ−ＲＯＭ）の記載事項
　刊行物２には、「小型電子機器のシールドケース」に関して、図１及び図２と共に、次の事項が記載されている。
　（か）「ケース本体内に各種電子部品や素子等を組込んだプリント基板を組付け、このケース本体に蓋を嵌着するシールドケースであって、上記ケース本体に、外方に向けて一体的に折曲げられた突起爪を設け、上記ケース本体に蓋を嵌着したとき、上記ケース本体の突起爪が蓋の爪部側面に係止されるよう構成したことを特徴とする小型電子機器のシールドケース。」（実用新案登録請求の範囲の請求項１）
　（き）「一方、上記ケース本体１の前方側面の片側寄りには、下側より組付けされるプリント基板２の突出部２ａが臨むように、下方が開口した開口窓部１ｃが形成されると共に、ケース本体１の両側面の下部には、図示しないが、連続して成形されたプリント基板母材より個別のプリント基板２を切断する場合の切断部に相当する切欠窓部１０ａ，１０ｂが形成されている。」（段落【００１１】）
　（く）「上記ケース本体１の側面に形成した切欠窓部１０ａ，１０ｂの内、少なくともいずれか一方の側壁面には、外方に向けて一体的に折曲げられた突起爪１１が設けられている。この突起爪１１は、ケース本体１の下側より下蓋４を嵌着したときに、下蓋４の爪部４ａの側面が係止されて、下蓋４が捩じれたり、下蓋４が爪部４ａの弾持力の強い後方向へ引っ張られたりするのを防止している。このためには、上記ケース本体１の開口窓部１ｃに近い側面に形成された切欠窓１０ａまたは１０ｂの側壁面に突起爪１１を設けるのが望ましい。」（段落【００１２】）
　（け）「このように構成された本考案の実施例によれば、ケース本体１に下蓋４を嵌着したとき、ケース本体１の側壁面に突設した突起爪１１に、下蓋４の爪部４ａの側面が係止されるために、ケース本体１と下蓋４との位置決めが確実に行われ、下蓋４が捩れたりすることなく、蓋体周囲の嵌着力が均一になる。」（段落【００１３】）
　（こ）「【考案の効果】　以上詳細に説明したように、本考案の小型電子機器のシールドケースは、ケース本体にプリント基板を組付けて蓋を嵌着する場合、ケース本体から突設した突起爪に、蓋の爪部の側面が係止されるために、ケース本体と蓋との位置決めが確実に行われる。従って、ケース本体に蓋を嵌着したとき、蓋体が捩れたりすることなく、蓋体周囲の嵌着力が均一になり、ケース本体と蓋とのアース性能等、電気特性を向上させることができる。」（段落【００１４】）
　
　上記各摘記事項及び図１及び図２の記載を総合すると、刊行物２には、
「開放部と二対の互いに対向した側壁とを有する金属製のケース本体１と、二対の互いに対向した辺を有する矩形状をなす下蓋４とを備え、
　前記ケース本体１の一方の対向した側壁の一つの側壁には外方に突出した突起爪１１が設けられると共に、他方の対向した側壁の一つの側壁には開口窓部１ｃが設けられ、
　前記下蓋４の一方の対向した辺には凹部と前記ケース本体１の一方の対向した側壁に弾接する爪部４ａとが設けられると共に、他方の対向する辺には前記ケース本体１の他方の対向した側壁の前記開口窓部１ｃを除く部分に弾接する爪部４ａが設けられ、
　前記下蓋４を前記開放部を覆うように前記ケース本体１に被せて前記突起爪１１と前記凹部の側面とを弾接させることにより、前記下蓋４の他方の対向する辺に設けられた爪部４ａが対向する前記開口窓部１ｃ側に引き寄せられるように構成した
　電子機器」
の発明が記載されていると認められる。
　
４．対比・判断
４−１．本件特許の請求項１に係る発明について
　まず、本件特許の請求項１に係る発明と刊行物１に記載された発明とを対比すると、刊行物１記載の発明の「金属製のケース１０」は開放部と立上側壁部１１，１２，１３とを有する点で、本件特許の請求項１に係る発明の、開放部と側板とを有する「金属製の枠体」に相当し、以下同様に、「カバー２０」は「カバー」に、「カバーストッパー３０」はケース１０の立上側壁部１１，１２に設けられる外方に突出した部材である点で、枠体の側板に設けられる外方に突出した「凸部」に、「係止窓２７」は「凹部」に、「立下側壁部２１，２２」は「圧接用突片」に、カバー２０の一つの辺に設けられる「立下側壁部２３」はケース１０の立上側壁部１３に弾接する部材である点で、枠体の側板に弾接する「圧接用突片」に相当するから、本件特許の請求項１に係る発明と刊行物１に記載された発明とは、
「開放部と側板とを有する金属製の枠体と、二対の互いに対向した辺を有する矩形状をなすカバーとを備え、
　前記枠体の一方の対向した側板には外方に突出した凸部が設けられ、
　前記カバーの一方の対向した辺には凹部と前記枠体の一方の対向した側板に弾接する圧接用突片とが設けられると共に、他方の対向する辺の一つの辺には前記枠体側板の一つに弾接する圧接用突片が設けられ、
　前記カバーを前記開放部を覆うように前記枠体に被せて前記凸部と前記凹部の側面とを弾接させることにより、前記カバーの他方の対向する辺の一つの辺に設けられた圧接用突片が対向側に引き寄せられるように構成した
　電子機器」
である点で一致している。
　しかしながら、本件特許の請求項１に係る発明と刊行物１に記載された発明とは、凸部と切り欠き部を含む枠体の具体的構成や、凹部と圧接用突片を含むカバーの具体的構成が相違している。
　すなわち、刊行物１に記載された発明では、ケース１０が有する三つの立上側壁部１１，１２，１３に矩形状のカバー２０の三辺に設けられた立下側壁部２１，２２，２３を弾接させるものであり、本件特許の請求項１に係る発明のように、枠体の対向した側板の斜向かいの位置に切り欠き部は設けられておらず、これら切り欠き部を除く部分の側板に弾接するような圧接用突片をカバーに設けるものでもない。このため、刊行物１に記載された発明では、カバーストッパー３０と係止窓２７の側面とを弾圧させることにより、立下側壁部２３を立上側壁部１３に圧接させてカバー２０全体の横ズレを防止できるが、ケース１０の切り欠き部に起因するカバー２０のねじれを規制するという機能はない。
　このように、刊行物１に記載された発明は、本件特許の請求項１に係る発明の特徴点である、（ロ）「枠体の……他方の対向した側板の斜向かいの位置には切り欠き部が設けられ」、（ハ）「カバーの……他方の対向する辺には枠体の他方の対向した側板の切り欠き部を除く部分に弾接する圧接用突片が設けられ」、（ニ）「……カバーの他方の対向する辺に設けられた圧接用突片のそれぞれが対向する切り欠き部側に引き寄せられるように構成したこと」は備えておらず、また、刊行物１には上記特徴点の構成を示唆するものもない。
　次に、本件特許の請求項１に係る発明と刊行物２に記載された発明とを対比すると、刊行物２記載の発明の「金属製のケース本体１」は本件特許の請求項１に係る発明の「金属製の枠体」に相当し、以下同様に、「下蓋４」は「カバー」に、「突起爪１１」は一つの側壁にではあるものの、ケース本体１の側壁に設けられる外方に突出した部材である点で、枠体の側板に設けられる外方に突出した「凸部」に、「開口窓部１ｃ」は一つの側壁にではあるものの、ケース本体の１の側壁に設けられるものである点で、枠体の側板に設けられた「切り欠き部」に、「爪部４ａ」は側壁の開口窓部１ｃを除く部分ではあるものの、ケース本体の側壁に弾接する部材である点で、枠体の側板に弾接する「圧接用突片」に相当するから、本件特許の請求項１に係る発明と刊行物２に記載された発明とは、
「開放部と二対の互いに対向した側板とを有する金属製の枠体と、二対の互いに対向した辺を有する矩形状をなすカバーとを備え、
　前記枠体の一方の対向した側板の一つの側板には外方に突出した凸部が設けられると共に、他方の対向した側板の一つの側板には切り欠き部が設けられ、
　前記カバーの一方の対向した辺には凹部と前記枠体の一方の対向した側板に弾接する圧接用突片とが設けられると共に、他方の対向する辺には前記枠体の他方の対向した側板の一つの側板の切り欠き部を除く部分に弾接する圧接用突片が設けられ、
　前記カバーを前記開放部を覆うように前記枠体に被せて前記凸部と前記凹部の側面とを弾接させることにより、前記カバーの他方の対向する辺に設けられた圧接用突片の一辺の圧接用突片が対向する前記切り欠き部側に引き寄せられるように構成した
　電子機器」
である点で一致している。
　しかしながら、本件特許の請求項１に係る発明と刊行物２に記載された発明とは、凸部と切り欠き部を含む枠体の具体的構成や、凹部と圧接用突片を含むカバーの具体的構成が相違している。
　すなわち、刊行物２に記載された発明では、ケース本体１の一方の対向した側壁の一つの側壁に突起爪１１が設けられると共に、他方の対向した側壁の一つの側壁に開口窓部１ｃが設けられるものであり、側壁の開口窓部１ｃを除く部分の下蓋４に爪部４ａを設け、当該爪部４ａを開口窓部１ｃを除く側壁部分に弾接させるものであり、本件特許の請求項１に係る発明のように、枠体の対向した側板の斜向かいの位置に切り欠き部を設けるものではなく、カバーに設ける圧接用突片もこれら斜向かいの位置の切り欠き部を除くようにしたものではない。このため、刊行物２に記載された発明では、突起爪１１と凹部の側面とを弾圧させることにより、爪部４ａをケース本体１の側壁に圧接させて、ケース本体１の開口窓部１ｃに起因する下蓋４の捩じれを防止できるが、ケース本体１の斜向かいの位置の切り欠き部に起因する下蓋４のねじれを規制するということまでも、示唆するものではない。
　このように、刊行物２に記載された発明は、本件特許の請求項１に係る発明の特徴点である、（ロ）「枠体の……他方の対向した側板の斜向かいの位置には切り欠き部が設けられ」、（ハ）「カバーの……他方の対向する辺には枠体の他方の対向した側板の切り欠き部を除く部分に弾接する圧接用突片が設けられ」、（ニ）「……カバーの他方の対向する辺に設けられた圧接用突片のそれぞれが対向する切り欠き部側に引き寄せられるように構成したこと」は備えておらず、また、刊行物２には上記特徴点の構成を示唆するものもない。
　以上のとおり、刊行物１及び刊行物２のいずれにも、本件特許の請求項１に係る発明の特徴点である、（ロ）「枠体の……他方の対向した側板の斜向かいの位置には切り欠き部が設けられ」、（ハ）「カバーの……他方の対向する辺には枠体の他方の対向した側板の切り欠き部を除く部分に弾接する圧接用突片が設けられ」、（ニ）「……カバーの他方の対向する辺に設けられた圧接用突片のそれぞれが対向する切り欠き部側に引き寄せられるように構成したこと」は記載も示唆もされておらず、当該事項を備えたことにより、本件特許の請求項１に係る発明は、「対向した側板の斜向かいの位置に切り欠き部が設けられた枠体にカバーを被せたときのカバーのねじれを規制することができる」という格別の効果を奏するものである。
　したがって、本件特許の請求項１に係る発明は、刊行物１又は刊行物２に記載された発明でないばかりか、刊行物１又は刊行物２に記載された発明に基いて、当業者が容易に発明をすることができたものでもない。
　
４−２．本件特許の請求項２に係る発明について
　本件特許の請求項２に係る発明は、本件特許の請求項１に係る発明の構成要件をすべて含み、更に「凹部の先端部に傾斜部を設けたこと」という構成要件を付加したものであるから、上記４−１．で説示したのと同様の理由により、刊行物１又は刊行物２に記載された発明でないばかりか、刊行物１又は刊行物２に記載された発明に基いて、当業者が容易に発明をすることができたものでもない。
　
４−３．本件特許の請求項３に係る発明について
　本件特許の請求項３に係る発明は、本件特許の請求項１に係る発明における凸部と凹部の関係を逆にして、枠体側に凹部を設けると共にカバー側に凸部を設けたものである。
　そして、上記凸部及び凹部を、枠体及びカバーのいずれの側に設けるかは、当業者であれば、適宜選択し得る設計上の事項といえるから、上記４−１．で本件特許の請求項１に係る発明と刊行物１に記載された発明とを対比して一致していると認定した点において、「外方に突出した凸部」を「凹部」と読み替え、また、「凹部」を「外方に突出した凸部」と読み替えたものは、刊行物１に記載された発明に基いて、当業者であれば、容易に想到できた事項といえるし、また同様に、上記４−１．で本件特許の請求項１に係る発明と刊行物２に記載された発明とを対比して一致していると認定した点において、「外方に突出した凸部」を「凹部」と読み替え、また、「凹部」を「外方に突出した凸部」と読み替えたものは、刊行物２に記載された発明に基いて、当業者であれば、容易に想到できた事項といえる。
　しかしながら、上記４−１．で説示したのと同様の理由により、刊行物１及び刊行物２のいずれにも、本件特許の請求項３に係る発明の特徴点である、（ロ’）「枠体の……他方の対向した側板の斜向かいの位置には切り欠き部が設けられ」、（ハ’）「カバーの……他方の対向する辺には枠体の他方の対向した側板の切り欠き部を除く部分に弾接する圧接用突片が設けられ」、（ニ）「……カバーの他方の対向する辺に設けられた圧接用突片のそれぞれが対向する切り欠き部側に引き寄せられるように構成したこと」は記載も示唆もされておらず、当該事項を備えたことにより、本件特許の請求項３に係る発明は、「対向した側板の斜向かいの位置に切り欠き部が設けられた枠体にカバーを被せたときのカバーのねじれを規制することができる」という格別の効果を奏するものである。
　したがって、本件特許の請求項３に係る発明は、刊行物１又は刊行物２に記載された発明に基いて、当業者が容易に発明をすることができたものとはいえない。
　
４−４．本件特許の請求項４に係る発明について
　本件特許の請求項４に係る発明は、本件特許の請求項３に係る発明の構成要件をすべて含み、更に「凹部の先端部に傾斜部を設けたこと」という構成要件を付加したものであるから、上記４−３．で説示したのと同様の理由により、刊行物１又は刊行物２に記載された発明に基いて、当業者が容易に発明をすることができたものとはいえない。
　
【４】むすび
　以上のとおりであるから、特許異議の申立ての理由及び証拠によっては、本件特許の請求項１ないし４に係る発明についての特許を取り消すことはできない。
　また、他に本件特許の請求項１ないし４に係る発明についての特許を取り消すべき理由を発見しない。
　よって、結論のとおり決定する。
【異議決定日】
平成１４年８月６日（２００２．８．６）
【訂正の要旨】
（訂正の要旨）
《訂正事項ａ》
　願書に添付した明細書の【特許請求の範囲】の記載について、
「【請求項１】　開放部と外方に突出した凸部とを有する金属製の枠体と、周辺に圧接用突片と該圧接用突片間に設けられた凹部とを有するカバーとを備え、前記枠体の開放部の少なくとも一部を覆うように前記カバーを前記枠体に被せ、前記圧接用突片を枠体に圧接すると共に、前記凸部と前記凹部の側面とを弾接させたことを特徴とする電子機器。
　【請求項２】　前記凹部の先端部に傾斜部を設けたことを特徴とする請求項１記載の電子機器。
　【請求項３】　二対の互いに対向した辺を有する矩形状をなす前記カバーを有し、一方の対向した辺には、前記凸部が弾接する前記凹部を有する前記圧接用突片が設けられ、また、他方の対向する辺の一方の辺には、圧接用突片が設けられ、この圧接用突片は、前記凸部と前記凹部との弾接によって枠体への圧接が強まるようにしたことを特徴とする請求項１、又は２記載の電子機器。
　【請求項４】　開放部と該開放部側に設けた凹部とを有する金属製の枠体と、周辺に圧接用突片と該圧接用突片の側縁部から内方に突出した凸部とを有するカバーとを備え、前記枠体の開放部の少なくとも一部を覆うように前記カバーを前記枠体に被せ、前記圧接用突片を枠体に圧接すると共に、前記凸部と前記凹部の側面とを弾接させたことを特徴とする電子機器。
　【請求項５】　前記凹部の先端部に傾斜部を設けたことを特徴とする請求項４記載の電子機器。
　【請求項６】　二対の互いに対向した辺を有する矩形状をなす前記カバーを有し、一方の対向した辺には、前記凹部に弾接する前記凸部を有する前記圧接用突片が設けられ、また、他方の対向する辺の一方の辺には、圧接用突片が設けられ、この圧接用突片は、前記凹部と前記凸部との弾接によって枠体への圧接が強まるようにしたことを特徴とする請求項４、又は５記載の電子機器。」とあるのを、特許請求の範囲の減縮を目的として、
「【請求項１】　開放部と
二対の互いに対向した側板
二対の互いに対向した辺を有する矩形状をなす
前記枠体の一方の対向した側板には外方に突出した凸部が設けられると共に、他方の対向した側板の斜向かいの位置には切り欠き部が設けられ、前記カバーの一方の対向した辺には凹部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、前記カバーを前記開放部を覆うように前記枠体に被せて
ることにより、前記カバーの他方の対向する辺に設けられた圧接用突片のそれぞれが対向する前記切り欠き部側に引き寄せられるように構成した
　【請求項２】　前記凹部の先端部に傾斜部を設けたことを特徴とする請求項１記載の電子機器。
　【請求項３】　
開放部と二対の互いに対向した側板とを有する金属製の枠体と、二対の互いに対向した辺を有する矩形状をなすカバーとを備え、前記枠体の一方の対向した側板には凹部が設けられると共に、他方の対向した側板の斜向かいの位置には切り欠き部が設けられ、前記カバーの一方の対向した辺には外方に突出した凸部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、前記カバーを前記開放部を覆うように前記枠体に被せて前記凸部と前記凹部の側面とを弾接させることにより、前記カバーの他方の対向する辺に設けられた圧接用突片のそれぞれが対向する前記切り欠き部側に引き寄せられるように構成したことを特徴とする
　【請求項４】　
前記凹部の先端部に傾斜部を設けたことを特徴とする請求項３記載の
と訂正する。
《訂正事項ｂ》
　願書に添付した明細書の段落【０００６】の記載について、
「【課題を解決するための手段】
　前記課題を解決するための第１の解決手段として、開放部と外方に突出した凸部とを有する金属製の枠体と、周辺に圧接用突片と該圧接用突片間に設けられた凹部とを有するカバーとを備え、前記枠体の開放部の少なくとも一部を覆うように前記カバーを前記枠体に被せ、前記圧接用突片を枠体に圧接すると共に、前記凸部と前記凹部の側面とを弾接させた構成とした。
　また、第２の解決手段として、前記凹部の先端部に傾斜部を設けた構成とした。
　また、第３の解決手段として、二対の互いに対向した辺を有する矩形状をなす前記カバーを有し、一方の対向した辺には、前記凸部が弾接する前記凹部を有する前記圧接用突片が設けられ、また、他方の対向する辺の一方の辺には、圧接用突片が設けられ、この圧接用突片は、前記凸部と前記凹部との弾接によって枠体への圧接が強まるようにした構成とした。
　また、第４の解決手段として、開放部と該開放部側に設けた凹部とを有する金属製の枠体と、周辺に圧接用突片と該圧接用突片の側縁部に設けられ、内方に突出した凸部とを有するカバーとを備え、前記枠体の開放部の少なくとも一部を覆うように前記カバーを前記枠体に被せ、前記圧接用突片を枠体に圧接すると共に、前記凸部と前記凹部の側面とを弾接させた構成とした。
　また、第５の解決手段として、前記凹部の先端部に傾斜部を設けた構成とした。
　更に、第６の解決手段として、二対の互いに対向した辺を有する矩形状をなす前記カバーを有し、一方の対向した辺には、前記凹部に弾接する前記凸部を有する前記圧接用突片が設けられ、また、他方の対向する辺の一方の辺には、圧接用突片が設けられ、この圧接用突片は、前記凹部と前記凸部との弾接によって枠体への圧接が強まるようにした構成とした。」とあるのを、明りょうでない記載の釈明を目的として、
「【課題を解決するための手段】
　前記課題を解決するための第１の解決手段として、開放部と
二対の互いに対向した側板
二対の互いに対向した辺を有する矩形状をなす
前記枠体の一方の対向した側板には外方に突出した凸部が設けられると共に、他方の対向した側板の斜向かいの位置には切り欠き部が設けられ、前記カバーの一方の対向した辺には凹部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、前記カバーを前記開放部を覆うように前記枠体に被せて
ることにより、前記カバーの他方の対向する辺に設けられた圧接用突片のそれぞれが対向する前記切り欠き部側に引き寄せられるように構成
　また、第２の解決手段として、前記凹部の先端部に傾斜部を設けた構成とした。
　また、第３の解決手段として、
開放部と二対の互いに対向した側板とを有する金属製の枠体と、二対の互いに対向した辺を有する矩形状をなすカバーとを備え、前記枠体の一方の対向した側板には凹部が設けられると共に、他方の対向した側板の斜向かいの位置には切り欠き部が設けられ、前記カバーの一方の対向した辺には外方に突出した凸部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、前記カバーを前記開放部を覆うように前記枠体に被せて前記凸部と前記凹部の側面とを弾接させることにより、前記カバーの他方の対向する辺に設けられた圧接用突片のそれぞれが対向する前記切り欠き部側に引き寄せられるように構成
　また、第４の解決手段として、
前記凹部の先端部に傾斜部を設けた
と訂正する。
《訂正事項ｃ》
　願書に添付した明細書の段落【００１３】の記載について、
「【発明の効果】
　本発明によれば、開放部と外方に突出した凸部とを有する金属製の枠体と、周辺に圧接用突片と該圧接用突片間に設けられた凹部とを有するカバーとを備え、枠体の開放部の少なくとも一部を覆うようにカバーを枠体に被せ、圧接用突片を枠体に圧接すると共に、凸部と凹部の側面とを弾接させたものであるため、圧接用突片が圧接用突片のない側に引き寄せられ、圧接用突片の枠体への接触を強くでき、振動等によるノイズがなく、また、これによって、カバーのねじれが規制され、商品価値が向上した電子機器が提供できる。また、これによって、構成の簡単なカバーの位置規制構造を提供できる。
　また、凹部の先端部に傾斜部を設ることによって、凸部の凹部への挿入を容易に出来、作業性が良くなる。
　更に、二対の互いに対向した辺を有する矩形状をなす前記カバーを有し、一方の対向した辺には、前記凸部（又は凹部）が弾接する前記凹部（又は凸部）を有する前記圧接用突片が設けられ、また、他方の対向する辺の一方の辺には、圧接用突片が設けられ、この圧接用突片は、前記凸部と前記凹部との弾接によって枠体への圧接が強まるようにしたため、特に、対向する二辺の対向する位置に圧接用突片が、一方のみ、或いは、非対称に存在するとき、カバーの位置規制が出来て、圧接用突片の枠体への接触を強くでき、ノイズのない電子機器を提供できる。
　また、更に、開放部と該開放部側に設けた凹部とを有する金属製の枠体と、周辺に圧接用突片と該圧接用突片の側縁部から内方に突出した凸部とを有するカバーとを備え、枠体の開放部の少なくとも一部を覆うように前記カバーを枠体に被せ、圧接用突片を枠体に圧接すると共に、凸部と凹部の側面とを弾接させたものであるため、圧接用突片が圧接用突片のない側に引き寄せられ、圧接用突片の枠体への接触を強くでき、振動等によるノイズがなく、また、これによって、カバーのねじれが規制され、商品価値が向上し、構成の簡単なカバーの位置規制構造の電子機器が提供できる。」とあるのを、明りょうでない記載の釈明を目的として、
「【発明の効果】
　本発明によれば、開放部と
二対の互いに対向した側板
二対の互いに対向した辺を有する矩形状をなす
前記枠体の一方の対向した側板には外方に突出した凸部が設けられると共に、他方の対向した側板の斜向かいの位置には切り欠き部が設けられ、前記カバーの一方の対向した辺には凹部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、前記カバーを前記開放部を覆うように前記枠体に被せて
ることにより、前記カバーの他方の対向する辺に設けられた圧接用突片のそれぞれが対向する前記切り欠き部側に引き寄せられるように構成した
　また、凹部の先端部に傾斜部を設ることによって、凸部の凹部への挿入を容易に出来、作業性が良くなる。
　更に、
開放部と二対の互いに対向した側板とを有する金属製の枠体と、二対の互いに対向した辺を有する矩形状をなすカバーとを備え、前記枠体の一方の対向した側板には凹部が設けられると共に、他方の対向した側板の斜向かいの位置には切り欠き部が設けられ、前記カバーの一方の対向した辺には外方に突出した凸部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、前記カバーを前記開放部を覆うように前記枠体に被せて前記凸部と前記凹部の側面とを弾接させることにより、前記カバーの他方の対向する辺に設けられた圧接用突片のそれぞれが対向する前記切り欠き部側に引き寄せられるように構成した
と訂正する。
《訂正事項ｄ》
　願書に添付した図面の【図１】を、明りょうでない記載の釈明を目的として、訂正請求書に添付した訂正図面の【図１】のように訂正する。
（５４）【発明の名称】
電子機器
（５７）【特許請求の範囲】
　【請求項１】　開放部と
二対の互いに対向した側板
二対の互いに対向した辺を有する矩形状をなす
前記枠体の一方の対向した側板には外方に突出した凸部が設けられると共に、他方の対向した側板の斜向かいの位置には切り欠き部が設けられ、前記カバーの一方の対向した辺には凹部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、前記カバーを前記開放部を覆うように前記枠体に被せて
ることにより、前記カバーの他方の対向する辺に設けられた圧接用突片のそれぞれが対向する前記切り欠き部側に引き寄せられるように構成した
　【請求項２】　前記凹部の先端部に傾斜部を設けたことを特徴とする請求項１記載の電子機器。
　【請求項３】　
開放部と二対の互いに対向した側板とを有する金属製の枠体と、二対の互いに対向した辺を有する矩形状をなすカバーとを備え、前記枠体の一方の対向した側板には凹部が設けられると共に、他方の対向した側板の斜向かいの位置には切り欠き部が設けられ、前記カバーの一方の対向した辺には外方に突出した凸部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、前記カバーを前記開放部を覆うように前記枠体に被せて前記凸部と前記凹部の側面とを弾接させることにより、前記カバーの他方の対向する辺に設けられた圧接用突片のそれぞれが対向する前記切り欠き部側に引き寄せられるように構成したことを特徴とする
　【請求項４】　
前記凹部の先端部に傾斜部を設けたことを特徴とする請求項３記載の
【発明の詳細な説明】
　【０００１】
　【発明の属する技術分野】
　本発明は、テレビジョンチューナ、モジュレータ等の電子機器に係り、特に、枠体へのカバーの取付構造に関する。
　【０００２】
　【従来の技術】
　従来における電子機器は、図７、図８に示すように、箱形の金属製の枠体２０は、相対向する側板２１、２２と、斜向かいの位置に切り欠き部２３ａ、２４ａが設けられた相対向する側板２３、２４と、一端部に設けられた開放部２０ａとを有している。
　そして、この枠体２０内には、電子回路部品（図示せず）が収容されると共に、前記切り欠き部２３ａ、２４ａには、電子回路を外部に導出するための端子板（図示せず）が設置される。
　【０００３】
　また、矩形状の金属製から成るカバー２５は、その対向する辺２５ａと２５ｂに、相対向して下向きに設けられた圧接用突片２６、２７と、また、もう一つの対向する辺２５ｃと２５ｄに、斜向かいで下向きに設けられた圧接用突片２８、２９とを有している。
　そして、斜向かいに設けられた圧接用突片２８、２９は前記切り込み部２３ａ，２４ａには合致せず、外れた位置に成るように形成されている。
　【０００４】
　そして、このカバー２５は、枠体２０の開放部２０ａを覆うように枠体２０に被せて、カバー２５の圧接用突片２６、２７、２８、２９を、それぞれ枠体２０の側板２１、２２、２３、２４に弾接させて取り付けられている。
　そして、枠体２０に取り付けられたカバー２５は、図８から分かるように、カバー２５の対向する辺２５ｃと２５ｄにおいて、圧接用突片２８と２９は斜向かいに設けられているため、圧接用突片２８が対向する辺２５ｄ側、及び圧接用突片２９が対向する辺２５ｃ側に圧接用突片がない。
　このため、圧接用突片２８は、側板２３への弾接によって、対向する辺２５ｄを矢印Ｘ方向に辺２５ｃ側に、また、圧接用突片２９は、側板２４への弾接によって、対向する辺２５ｃを矢印Ｙ方向に辺２５ｄ側に引き寄せられて、カバー２５はねじれた状態となっている。
　【０００５】
　【発明が解決しようとする課題】
　従来の電子機器は、カバー２５の圧接用突片２８、２９によって、その対向する辺２５ｃ、２５ｄが引き寄せられるため、圧接用突片２８、２９の側板２３、２４への接触が弱くなり、僅かな振動等によってノイズを発生するという問題がある。
　また、カバー２５はねじれを生じるため、外観上の見栄えが悪く、商品価値を落とすという問題がある。
　【０００６】
　【課題を解決するための手段】
　前記課題を解決するための第１の解決手段として、開放部と
二対の互いに対向した側板
二対の互いに対向した辺を有する矩形状をなす
前記枠体の一方の対向した側板には外方に突出した凸部が設けられると共に、他方の対向した側板の斜向かいの位置には切り欠き部が設けられ、前記カバーの一方の対向した辺には凹部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、前記カバーを前記開放部を覆うように前記枠体に被せて
ることにより、前記カバーの他方の対向する辺に設けられた圧接用突片のそれぞれが対向する前記切り欠き部側に引き寄せられるように構成
　また、第２の解決手段として、前記凹部の先端部に傾斜部を設けた構成とした。
　また、第３の解決手段として、
開放部と二対の互いに対向した側板とを有する金属製の枠体と、二対の互いに対向した辺を有する矩形状をなすカバーとを備え、前記枠体の一方の対向した側板には凹部が設けられると共に、他方の対向した側板の斜向かいの位置には切り欠き部が設けられ、前記カバーの一方の対向した辺には外方に突出した凸部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、前記カバーを前記開放部を覆うように前記枠体に被せて前記凸部と前記凹部の側面とを弾接
ることにより、前記カバーの他方の対向する辺に設けられた圧接用突片のそれぞれが対向する前記切り欠き部側に引き寄せられるように構成
　また、第４の解決手段として、
前記凹部の先端部に傾斜部を設けた
　【０００７】
　【発明の実施の形態】
　本発明における電子機器の一実施例を、図１ー図４に基づいて説明する。
　テレビジョンチューナ、モジュレータ等の枠体１は、箱形の金属製で構成され、この枠体１は、相対向する側板２、３と、斜向かいの位置に切り欠き部４ａ，５ａが設けられた相対向する側板４、５と、一端部に設けられた開放部６と、前記側板２、３の開放部６側において、側板２、３を外方に切り起こして設けられた凸部７、８とを有している。
　なお、ここでは、底部のある枠体１を示したが、両端が開放されていても良い。
　そして、この枠体１内には、電気回路部品（図示せず）が収容されると共に、前記切り欠き部４ａ、５ａには、電子回路を外部に導出するための端子板（図示せず）が設置される。
　【０００８】
　また、矩形状の金属製から成るカバー９は、その対向する辺９ａと９ｂに、相対向して下向きに設けられた複数個の圧接用突片１０、１１と、この圧接用突片１０間、及び１１間に設けられた凹部１２、１３と、一つの圧接用突片１０と１１の先端部に設けられた傾斜部１４と、また、もう一つの対向する辺９ｃと９ｄに、斜向かいに下向きに設けられた圧接用突片１５、１６とを有している。
　そして、斜向かいに設けられた圧接用突片１５、１６は、前記切り欠き部４ａ、５ａには合致せず、外れた位置になるように形成され、また、凹部１２、１３に隣接する一つの圧接用突片１０と１１とに設けられた傾斜部１４は、それぞれ凸部７、８と対向した位置に形成されている。
　【０００９】
　そして、このカバー９は、枠体１の開放部６を覆うように枠体１に被せる。
　この時、図４（Ａ）に示すように、圧接用突片１０の傾斜部１４は、側板２に設けた凸部７に、また、圧接用突片１１の傾斜部１４は、側板３に設けた凸部８に当接する。
　この状態で、カバー９を枠体１に押し込むと、圧接用突片１０、１１、１５、１６はそれぞれ側板２、３、４、５に圧接した状態で、カバー９が枠体１の端部にぶつかるまで下方に移動（図４（Ｂ）参照）させて、カバー９を枠体１に取り付ける。
　この時、凸部７、８に当接した傾斜部１４によって、図２において、カバー９の上部は矢印Ｃ方向に、また、下部は矢印Ｄ方向に引き寄せられ、そして、凹部１２、１３の側面である圧接用突片１０、１１の側面に、凸部７、８が弾接した状態となっている。
　【００１０】
　このような構成によって、カバー９の対向する二辺９ｃ、９ｄの対向する位置、即ち、辺９ｃ側に設けられた圧接用突片１５に対向する位置おける辺９ｄ側には、圧接用突片が無く、また、辺９ｄ側に設けられた圧接用突片１６に対向する位置における辺９ｃ側には、圧接用突片が無いため、凸部７、８によって、圧接用突片が存在しない方向にカバー９を引き寄せて、カバー９に位置を規制するようになっている。
　【００１１】
　図５は、本発明の他の実施例を示し、枠体１内に、電気回路（図示せず）を外部に導出するためのコネクタ１７が収容され、カバー９は、辺９ｃを除く辺９ａ、９ｂ、９ｄに圧接用突片１０、１１、１６を設け、このカバー９を、コネクタ１７の上部を除く枠体１の開放部６に被せると共に、枠体１に設けた凸部７、８を、それぞれカバー９の凹部１２、１３の側面に弾接させたものである。
　これによって、圧接用突片１６を、圧接用突片が存在しない辺９ｃ側に引き寄せるようにしたものである。
　また、この実施例においても、圧接用突片１０、１１に、図示はしないが、図４に示すような傾斜部が設けられていることは勿論である。
　【００１２】
　図６は、本発明の他の実施例を示し、枠体１の開放部６側の先端部に、傾斜部１４を有する凹部１２、１３を設け、また、カバー９には、圧接用突片１０、１１の側縁部から内方に突出した凸部７、８を設けて、この凸部７、８を凹部１２、１３の側面に弾接させるようにしたものである。
　また、凸部７、８は圧接用突片以外の場所に設けても良いこと勿論である。
　また、前述の図６に示す他の実施例において、前述の図５に示すのと同様にカバー９をコネクタ１７の上部を除く枠体１の開放部６に被せると共に、枠体１に設けた凹部１２、１３に、それぞれカバー９の凸部７、８の側面を弾接させても良い。これによって、圧接用突片１０、１１を圧接用突片が存在しない辺９ｃ（図５参照）側に引き寄せるように構成し、よって、圧接用突片が存在する辺９ｄ（図５参照）の圧接用突片が前記凹部１２、１３と前記凸部７、８との弾接によって枠体１への圧接が強まるように構成される。
　【００１３】
　【発明の効果】
　本発明によれば、開放部と
二対の互いに対向した側板
二対の互いに対向した辺を有する矩形状をなす
前記枠体の一方の対向した側板には外方に突出した凸部が設けられると共に、他方の対向した側板の斜向かいの位置には切り欠き部が設けられ、前記カバーの一方の対向した辺には凹部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、前記カバーを前記開放部を覆うように前記枠体に被せて
ることにより、前記カバーの他方の対向する辺に設けられた圧接用突片のそれぞれが対向する前記切り欠き部側に引き寄せられるように構成した
　また、凹部の先端部に傾斜部を設ることによって、凸部の凹部への挿入を容易に出来、作業性が良くなる。
　更に、
開放部と二対の互いに対向した側板とを有する金属製の枠体と、二対の互いに対向した辺を有する矩形状をなすカバーとを備え、前記枠体の一方の対向した側板には凹部が設けられると共に、他方の対向した側板の斜向かいの位置には切り欠き部が設けられ、前記カバーの一方の対向した辺には外方に突出した凸部と前記枠体の一方の対向した側板に弾接する圧接用突片とが設けられると共に、他方の対向する辺には前記枠体の他方の対向した側板の前記切り欠き部を除く部分に弾接する圧接用突片が設けられ、前記カバーを前記開放部を覆うように前記枠体に被せて前記凸部と前記凹部の側面とを弾接させることにより、前記カバーの他方の対向する辺に設けられた圧接用突片のそれぞれが対向する前記切り欠き部側に引き寄せられるように構成した
【図面の簡単な説明】
　【図１】
　本発明の電子機器の実施例を示す要部分解斜視図。
　【図２】
　本発明の電子機器の一実施例の上面図。
　【図３】
　本発明の電子機器の実施例の側面図。
　【図４】
　本発明の電子機器の一実施例における組立の説明図。
　【図５】
　本発明の電子機器の他の実施例を示す上面図。
　【図６】
　本発明の電子機器の他の実施例を示す要部分解斜視図。
　【図７】
　従来の電子機器の要部分解斜視図。
　【図８】
　従来の電子機器の上面図。
　【符号の説明】
　１　枠体
　２、３、４、５　側板
　４ａ，５ａ　切り欠き部
　６　開放部
　７、８　凸部
　９　カバー
　９ａ、９ｂ，９ｃ，９ｄ　辺
　１０、１１、１５、１６　圧接用突片
　１２、１３　凹部
　１４　傾斜部
　１７　コネクタ
【図面】